(57)【要約】【課題】汎用技術を用い、操作容易な画像処理システムを提供する。【解決手段】撮像及び位置、撮像方向取得機能を有する携帯の端末と、サーバーを含む画像処理システムであって、端末はデータの所在情報を記憶し、撮像位置及び方向情報をサーバーへ送信し、サーバーは、画像処理装置の機能情報を装置位置情報に対応付けて記憶し、データの識別情報を外部から取得し、装置位置情報に対応付けて記憶し、撮像位置及び方向情報から、撮像対象が前記装置であると特定できる場合に、装置位置情報に対応する機能情報、識別情報を端末へ送信し、端末は、機能情報を表示する第１ＡＲタグ、識別情報を表示する第２ＡＲタグを撮像画像に合成表示し、両者のＡＲタグを関連付ける操作を受付けると、第２ＡＲタグによって識別されるデータの所在情報の示す格納場所から、当該データを取得し、第１ＡＲタグの機能情報の示す機能による処理を前記装置に指示する。【選択図】図８
2014158209.tif 000002
【特許請求の範囲】
【請求項１】
携帯端末装置と、ＡＲサーバーから構成される画像処理システムであって、
前記携帯端末装置は、
撮像手段と、
撮像した画像を表示する表示手段と、
ユーザー操作を受付ける操作受付手段と、
自装置の位置情報及び撮像方向を取得する取得手段と、
撮像時の自装置の位置情報及び撮像方向を前記ＡＲサーバーへ送信する第１送信手段と、
画像処理すべきデータの格納場所を示す所在情報を記憶する第１記憶手段と、を有し、
前記ＡＲサーバーは、
画像処理装置の機能を示す機能情報を、画像処理装置の位置情報に対応付けて記憶する第２記憶手段と、
前記画像処理すべきデータの識別情報を外部から取得して、前記画像処理装置の位置情報に対応付けて記憶する第３記憶手段と、
前記第１送信手段から送信された前記位置情報及び撮像方向と、前記画像処理装置の位置情報とから、前記画像処理装置が撮像されているか否かを特定する特定手段と、
前記画像処理装置が撮像されていると特定された場合に、前記画像処理装置の位置情報に対応付けられている前記機能情報と前記識別情報とを前記携帯端末装置へ送信する第２送信手段と、を有し、
前記携帯端末装置は、更に、
前記第２送信手段から送信された前記機能情報の示す機能を表示する第１ＡＲタグと、前記第２送信手段から送信された前記識別情報を表示する第２ＡＲタグとを生成して、それらのＡＲタグを撮像した画像に合成して表示するＡＲタグ表示手段と、
第１ＡＲタグと第２ＡＲタグとを関連付けるユーザー操作を受付けると、当該第２ＡＲタグに係る前記識別情報によって識別されるデータの所在情報の示す格納場所から、当該データを取得して、当該第１ＡＲタグに係る機能情報の示す機能を用いて取得したデータを処理するように前記画像処理装置に指示する処理指示手段と、
を有することを特徴とする画像処理システム。
【請求項２】
携帯端末装置と、ＡＲサーバーから構成される画像処理システムであって、
前記携帯端末装置は、
撮像手段と、
撮像した画像を表示する表示手段と、
ユーザー操作を受付ける操作受付手段と、
自装置の位置情報及び撮像方向を取得する取得手段と、
撮像時の自装置の位置情報及び撮像方向を前記ＡＲサーバーへ送信する第１送信手段と、
画像処理すべきデータの格納場所を示す所在情報を記憶する第１記憶手段と、を有し、
前記ＡＲサーバーは、
画像処理装置の機能を示す機能情報を、画像処理装置の位置情報に対応付けて記憶する第２記憶手段と、
前記画像処理すべきデータの識別情報を外部から取得して、前記画像処理装置の位置情報に対応付けて記憶する第３記憶手段と、
前記第１送信手段から送信された前記位置情報及び撮像方向と、前記画像処理装置の位置情報とから、前記画像処理装置が撮像されているか否かを特定する特定手段と、
前記画像処理装置が撮像されていると特定された場合に、前記画像処理装置の位置情報に対応付けられている前記機能情報と前記識別情報とに基づいて前記機能情報の示す機能を表示する第１ＡＲタグと、前記識別情報を表示する第２ＡＲタグとを生成して前記携帯端末装置へ送信する第２送信手段と、を有し、
前記携帯端末装置は、更に、
前記第２送信手段から送信された第１ＡＲタグと第２ＡＲタグとを撮像した画像に合成して表示するＡＲタグ表示手段と、
第１ＡＲタグと第２ＡＲタグとを関連付けるユーザー操作を受付けると、当該第２ＡＲタグに係る前記識別情報によって識別されるデータの所在情報の示す格納場所から、当該データを取得して、当該第１ＡＲタグに係る機能情報の示す機能を用いて取得したデータを処理するように前記画像処理装置に指示する処理指示手段と、
を有することを特徴とする画像処理システム。
【請求項３】
前記ＡＲサーバーは、前記画像処理装置が撮像されていると特定された場合に、当該画像処理装置の位置情報を前記携帯端末装置に送信する第３送信手段を有し、
前記携帯端末装置は、前記第３送信手段から送信された前記位置情報に対応付けて前記識別情報を前記ＡＲサーバーへ送信する第４送信手段を有し、
前記第３記憶手段は、前記識別情報を前記第４送信手段から取得する
ことを特徴とする請求項１又は２に記載の画像処理システム。
【請求項４】
さらに、前記画像処理装置を有する
ことを特徴とする請求項１〜３の何れかに記載の画像処理システム。
【請求項５】
更に、前記画像処理装置を有し、
前記第２記憶手段はさらに、前記画像処理装置の宛先を示す宛先情報を当該画像処理装置の位置情報に対応付けて記憶し、
前記ＡＲサーバーは、前記画像処理装置が撮像されていると特定された場合に、当該画像処理装置の位置情報と、当該位置情報に対応付けられている前記宛先情報とを前記携帯端末装置へ送信する第３送信手段を有し、
前記携帯端末装置は、前記第３送信手段から送信された前記画像処理装置の位置情報に対応付けて前記識別情報を、前記宛先情報の示す前記画像処理装置の宛先へ送信する第４送信手段を有し、
前記画像処理装置は、前記第４送信手段から送信された前記画像処理装置の位置情報に対応付けて前記識別情報を前記ＡＲサーバーへ送信する第５送信手段を有し、
前記第３記憶手段は、前記識別情報を前記画像処理装置の第５送信手段から取得する
ことを特徴とする請求項１又は２に記載の画像処理システム。
【請求項６】
携帯端末装置、ＡＲサーバー及び画像処理装置から構成される画像処理システムであって、
前記携帯端末装置は、
画像処理すべきデータの格納場所を示す所在情報を記憶する第１記憶手段と、
自装置の位置情報及び撮像方向を取得する第１取得手段と、
前記画像処理すべきデータの識別情報を、自装置の位置情報に対応付けて前記ＡＲサーバーへ送信する第１送信手段と、
前記第１取得手段が取得する位置情報に基づいて自装置の位置の移動を監視し、当該位置が移動する毎に移動後の位置情報を前記ＡＲサーバーへ送信する第２送信手段と、
を有し、
前記画像処理装置は、
撮像手段と、
撮像した画像を表示する表示手段と、
ユーザー操作を受付ける操作受付手段と、
自装置の位置情報及び撮像方向を取得する第２取得手段と、
自装置の機能を示す機能情報を記憶している第１記憶手段と、
撮像時の自装置の位置情報及び撮像方向を前記ＡＲサーバーへ送信する第３送信手段と、
を有し、
前記ＡＲサーバーは、
前記第１送信手段から送信された前記識別情報を、当該識別情報に対応付けられている前記携帯端末装置の位置情報に対応付けて記憶する第２記憶手段と、
前記第２記憶手段に記憶されている前記携帯端末装置の位置情報を、前記第２送信手段から送信された位置情報に更新する更新手段と、
前記第３送信手段から送信された前記位置情報及び撮像方向と、前記携帯端末装置の位置情報とから、前記携帯端末装置が撮像されているか否かを特定する特定手段と、
前記携帯端末装置が撮像されていると特定された場合に、前記携帯端末装置の位置情報を前記画像処理装置に送信する第４送信手段と、を有し、
前記画像処理装置は、前記機能情報を、前記第４送信手段から送信された前記携帯端末装置の位置情報に対応付けて前記ＡＲサーバーへ送信する第５送信手段を有し、
前記第２記憶手段はさらに、前記第５送信手段から送信された前記機能情報を、前記携帯端末装置の位置情報と対応付けて記憶し、
前記ＡＲサーバーはさらに、前記第２記憶手段において、前記携帯端末装置の位置情報と対応付けられている前記機能情報と、前記識別情報とを前記画像処理装置へ送信する第６送信手段を有し、
前記画像処理装置はさらに、
前記第６送信手段から送信された前記機能情報の示す機能を表示する第１ＡＲタグと、前記第６送信手段から送信された前記識別情報を表示する第２ＡＲタグとを生成して、それらのＡＲタグを撮像した画像に合成して表示するＡＲタグ表示手段と、
第１ＡＲタグと第２ＡＲタグを関連付けるユーザー操作を受付けると、当該第２ＡＲタグに係る前記識別情報によって識別されるデータの所在情報の示す格納場所から、当該データを前記携帯端末装置を通じて取得して当該第１ＡＲタグに係る機能情報の示す機能を実行する処理実行手段と、
を有することを特徴とする画像処理システム。
【請求項７】
携帯端末装置、ＡＲサーバー及び画像処理装置から構成される画像処理システムであって、
前記携帯端末装置は、
画像処理すべきデータの格納場所を示す所在情報を記憶する第１記憶手段と、
自装置の位置情報及び撮像方向を取得する第１取得手段と、
前記画像処理すべきデータの識別情報を、自装置の位置情報に対応付けて前記ＡＲサーバーへ送信する第１送信手段と、
前記第１取得手段が取得する位置情報に基づいて自装置の位置の移動を監視し、当該位置が移動する毎に移動後の位置情報を前記ＡＲサーバーへ送信する第２送信手段と、
を有し、
前記画像処理装置は、
撮像手段と、
撮像した画像を表示する表示手段と、
ユーザー操作を受付ける操作受付手段と、
自装置の位置情報及び撮像方向を取得する第２取得手段と、
自装置の機能を示す機能情報を記憶している第１記憶手段と、
撮像時の自装置の位置情報及び撮像方向を前記ＡＲサーバーへ送信する第３送信手段と、
を有し、
前記ＡＲサーバーは、
前記第１送信手段から送信された前記識別情報を、当該識別情報に対応付けられている前記携帯端末装置の位置情報に対応付けて記憶する第２記憶手段と、
前記第２記憶手段に記憶されている前記携帯端末装置の位置情報を、前記第２送信手段から送信された位置情報に更新する更新手段と、
前記第３送信手段から送信された前記位置情報及び撮像方向と、前記携帯端末装置の位置情報とから、前記携帯端末装置が撮像されているか否かを特定する特定手段と、
前記携帯端末装置が撮像されていると特定された場合に、前記携帯端末装置の位置情報を前記画像処理装置に送信する第４送信手段と、を有し、
前記画像処理装置は、前記機能情報を、前記第４送信手段から送信された前記携帯端末装置の位置情報に対応付けて前記ＡＲサーバーへ送信する第５送信手段を有し、
前記第２記憶手段はさらに、前記第５送信手段から送信された前記機能情報を、前記携帯端末装置の位置情報と対応付けて記憶し、
前記ＡＲサーバーはさらに、前記第２記憶手段において、前記携帯端末装置の位置情報と対応付けられている前記機能情報と前記識別情報とに基づいて前記機能情報の示す機能を表示する第１ＡＲタグと、前記識別情報を表示する第２ＡＲタグとを生成して前記画像処理装置へ送信する第６送信手段を有し、
前記画像処理装置はさらに、
前記第６送信手段から送信された第１ＡＲタグと第２ＡＲタグとを撮像した画像に合成して表示するＡＲタグ表示手段と、
第１ＡＲタグと第２ＡＲタグを関連付けるユーザー操作を受付けると、当該第２ＡＲタグに係る前記識別情報によって識別されるデータの所在情報の示す格納場所から、当該データを前記携帯端末装置を通じて取得して当該第１ＡＲタグに係る機能情報の示す機能を実行する処理実行手段と、
を有することを特徴とする画像処理システム。
【請求項８】
前記データは、前記携帯端末装置又は前記携帯端末装置から当該データを取得できる他の装置に格納されている
ことを特徴とする請求項１〜７の何れかに記載の画像処理システム。
【請求項９】
前記携帯端末装置は、ログイン情報の入力を受付ける入力受付手段を有し、
前記第３記憶手段はさらに、ログイン情報の認証に用いる認証情報を、前記画像処理装置の位置情報に対応付けて記憶し、
前記第２送信手段はさらに、前記第３記憶手段において前記画像処理装置の位置情報に対応付けられている認証情報を前記携帯端末装置へ送信し、
前記携帯端末装置はさらに、入力されたログイン情報と、前記第２送信手段から送信された認証情報とを照合する照合手段を有し、
前記ＡＲタグ表示手段は、照合できた場合に、第２ＡＲタグを表示し、照合できなかった場合には、第２ＡＲタグの表示を抑止する
ことを特徴とする請求項１〜５の何れかに記載の画像処理システム。
【請求項１０】
前記画像処理装置は、ログイン情報の入力を受付ける入力受付手段を有し、
前記第２記憶手段はさらに、ログイン情報の認証に用いる認証情報を、前記携帯端末装置の位置情報に対応付けて記憶し、
前記第６送信手段はさらに、前記第２記憶手段において、前記携帯端末装置の位置情報に対応づけられている認証情報を前記画像処理装置へ送信し、
前記画像処理装置はさらに、入力されたログイン情報と、前記第６送信手段から送信された認証情報とを照合する照合手段を有し、
前記ＡＲタグ表示手段は、照合できた場合に、第２ＡＲタグを表示し、照合できなかった場合には、第２ＡＲタグの表示を抑止する
ことを特徴とする請求項６又は７に記載の画像処理システム。
【請求項１１】
前記画像処理装置はさらに、画像を所定の投影位置に投影する投影手段を有し、
前記第２記憶手段は、さらに、前記投影位置の位置情報を記憶し、
前記第３記憶手段は、前記画像処理すべきデータの識別情報を前記投影位置の位置情報に対応づけて記憶し、
前記特定手段は、前記第１送信手段から送信された前記位置情報及び撮像方向と、前記投影位置の位置情報とから、前記投影位置の画像が撮像されているか否かを特定し、
前記第２送信手段は、前記投影位置の画像が撮像されていると特定された場合に、前記投影位置の位置情報に対応付けられている前記識別情報を前記携帯端末装置へ送信し、
前記ＡＲ表示手段は、前記第２送信手段から送信された前記識別情報を表示する第２ＡＲタグを、撮像した画像に合成して表示する
ことを特徴とする請求項１〜５、８、９の何れかに記載の画像処理システム。
【発明の詳細な説明】
【技術分野】
【０００１】
本発明は、プリンター、複写機、それらの複合機等の画像処理装置を操作する技術に関し、特に撮像機能及び位置検出機能を有する携帯端末装置を用いて画像処理装置を操作する技術に関する。
【背景技術】
【０００２】
近年、スマートフォンや携帯電話機等の携帯端末装置の急速な普及に伴い、携帯端末装
置を用いて、プリンター、複写機、それらの複合機等の画像処理装置を操作することが可
能な画像処理システムが利用されるようになってきている。
例えば、特許文献１には、撮像機能及び位置検出機能を有する携帯端末と、画像処理装
置とサーバーからなる画像処理システムが開示されている。当該画像処理システムにおい
ては、画像処理装置に関する情報（位置情報、通信情報、機能情報等の情報）が予めサー
バーに記憶され、携帯端末から、上記画像処理装置を撮像して撮像位置情報をサーバーに
送信することにより、サーバー側で撮像されている画像処理装置が検索されて当該画像処
理装置に関する情報が当該携帯端末に送信される。
【０００３】
そして、当該携帯端末は、サーバーから送信された情報（通信情報）に基づいて当該画像処理装置と通信し、当該画像処理装置において原稿がセットされているか否かについての情報を取得し、原稿のセット状態に応じてユーザー操作を受付けるアイコン表示を切換え、アイコンのドラッグ操作を介してユーザーから画像処理装置の操作指示を受付ける。
より具体的には、原稿がセットされていることが検出された場合には、携帯端末は、画
像処理装置の撮像画像とともに原稿の絵柄を示すアイコンと、原稿読取りデータの送信
先となる宛先の一覧を表示し、アイコンを所望の宛先の表示位置に移動させるドラッグ操
作を検出すると、原稿のスキャンジョブと所望の宛先を示す宛先情報を画像処理装置に送
信して、当該画像処理装置に対して原稿を読み取って原稿読み取りデータを所望の宛先へ
送信する画像読取送信処理の実行指示をする。
【０００４】
原稿がセットされていないことが検出された場合には、携帯端末は、画像処理装置によ
る印刷処理の対象となるべき各画像データを示すアイコンを、画像処理装置の撮像画像と
ともに表示し、所望の画像データのアイコンを画像処理装置の画像の表示位置に移動させ
るドラッグ操作を検出すると、所望の画像データを画像処理装置に送信して、当該画像処
理装置に対して当該画像データについての印刷処理の実行指示をする。
【０００５】
これにより、ユーザーは、使い慣れた携帯端末を操作することにより、画像処理装置の
操作を実行することができ、出張先においても最寄りの画像処理装置を手軽に利用するこ
とができる。
【先行技術文献】
【特許文献】
【０００６】
【特許文献１】特開２０１２−１０４０３５号公報
【発明の概要】
【発明が解決しようとする課題】
【０００７】
しかしながら、上記の画像処理システムにおいては、原稿のセット状態により、携帯端末に表示される操作画面が決定されてしまうので、例えば、原稿がセットされた状態のときに、ユーザーが画像処理装置の印刷処理を実行させる操作をしたいような場合には、画像処理装置の所まで行ってセットされている原稿を取り除かなければならず、操作が不便であるという問題が生じる。
【０００８】
又、上記のように撮像画像とともに付加情報（アイコン）を表示させて画像処理装置の操作を受け付ける機能を有する画像処理システムを構築するには、開発コストを削減するため、できるだけ汎用性のある技術（例えば、ＡＲ（拡張現実））を用いて画像処理システムを構築することが望ましい。汎用性のない技術を用いた場合には、システムを最初から構築することになるため、汎用性のある技術を用いて、既存のシステムの改良や変更により、システムを構築する場合に比較して、システムの開発に時間や労力を要し、その結果、開発に要する人件費等のコストが増大することになるからである。
【０００９】
又、上記の画像処理システムにおいては、サーバーに画像処理装置の機能情報が画像処理装置の位置情報と対応付けて登録されており、当該機能情報に基づいて、操作画面において、画像読取送信処理を実行させるためのＡＲタグや印刷処理を実行させるためのＡＲタグを表示させることは可能であるが、宛先や印刷処理の対象となるべき各画像データを示すアイコンは、ＡＲタグで表示されていないため、ドラッグ操作において両者を関連付けるための制御が煩雑になるという問題が生じる。
【００１０】
本発明は、上述のような問題に鑑みて為されたものであって、汎用性のある技術を用いて、直感的な操作により容易に画像処理装置を操作することが可能な画像処理システムを提供することを目的とする。
【課題を解決するための手段】
【００１１】
上記目的を達成するため、本発明の一形態に係る画像処理システムは、携帯端末装置と、ＡＲサーバーから構成される画像処理システムであって、前記携帯端末装置は、撮像手段と、撮像した画像を表示する表示手段と、ユーザー操作を受付ける操作受付手段と、自装置の位置情報及び撮像方向を取得する取得手段と、撮像時の自装置の位置情報及び撮像方向を前記ＡＲサーバーへ送信する第１送信手段と、画像処理すべきデータの格納場所を示す所在情報を記憶する第１記憶手段と、を有し、前記ＡＲサーバーは、画像処理装置の機能を示す機能情報を、画像処理装置の位置情報に対応付けて記憶する第２記憶手段と、
前記画像処理すべきデータの識別情報を外部から取得して、前記画像処理装置の位置情報に対応付けて記憶する第３記憶手段と、前記第１送信手段から送信された前記位置情報及び撮像方向と、前記画像処理装置の位置情報とから、前記画像処理装置が撮像されているか否かを特定する特定手段と、前記画像処理装置が撮像されていると特定された場合に、前記画像処理装置の位置情報に対応付けられている前記機能情報と前記識別情報とを前記携帯端末装置へ送信する第２送信手段と、を有し、前記携帯端末装置は、更に、前記第２送信手段から送信された前記機能情報の示す機能を表示する第１ＡＲタグと、前記第２送信手段から送信された前記識別情報を表示する第２ＡＲタグとを生成して、それらのＡＲタグを撮像した画像に合成して表示するＡＲタグ表示手段と、第１ＡＲタグと第２ＡＲタグとを関連付けるユーザー操作を受付けると、当該第２ＡＲタグに係る前記識別情報によって識別されるデータの所在情報の示す格納場所から、当該データを取得して、当該第１ＡＲタグに係る機能情報の示す機能を用いて取得したデータを処理するように前記画像処理装置に指示する処理指示手段と、を有する。
【００１２】
又、本発明の一形態に係る画像処理システムは、  携帯端末装置と、ＡＲサーバーから構成される画像処理システムであって、前記携帯端末装置は、撮像手段と、撮像した画像を表示する表示手段と、ユーザー操作を受付ける操作受付手段と、自装置の位置情報及び撮像方向を取得する取得手段と、撮像時の自装置の位置情報及び撮像方向を前記ＡＲサーバーへ送信する第１送信手段と、画像処理すべきデータの格納場所を示す所在情報を記憶する第１記憶手段と、を有し、前記ＡＲサーバーは、画像処理装置の機能を示す機能情報を、画像処理装置の位置情報に対応付けて記憶する第２記憶手段と、前記画像処理すべきデータの識別情報を外部から取得して、前記画像処理装置の位置情報に対応付けて記憶する第３記憶手段と、前記第１送信手段から送信された前記位置情報及び撮像方向と、前記画像処理装置の位置情報とから、前記画像処理装置が撮像されているか否かを特定する特定手段と、前記画像処理装置が撮像されていると特定された場合に、前記画像処理装置の位置情報に対応付けられている前記機能情報と前記識別情報とに基づいて前記機能情報の示す機能を表示する第１ＡＲタグと、前記識別情報を表示する第２ＡＲタグとを生成して前記携帯端末装置へ送信する第２送信手段と、を有し、前記携帯端末装置は、更に、前記第２送信手段から送信された第１ＡＲタグと第２ＡＲタグとを撮像した画像に合成して表示するＡＲタグ表示手段と、第１ＡＲタグと第２ＡＲタグとを関連付けるユーザー操作を受付けると、当該第２ＡＲタグに係る前記識別情報によって識別されるデータの所在情報の示す格納場所から、当該データを取得して、当該第１ＡＲタグに係る機能情報の示す機能を用いて取得したデータを処理するように前記画像処理装置に指示する処理指示手段と、を有する。
【００１３】
ここで、前記ＡＲサーバーは、前記画像処理装置が撮像されていると特定された場合に、当該画像処理装置の位置情報を前記携帯端末装置に送信する第３送信手段を有し、前記携帯端末装置は、前記第３送信手段から送信された前記位置情報に対応付けて前記識別情報を前記ＡＲサーバーへ送信する第４送信手段を有し、前記第３記憶手段は、前記識別情報を前記第４送信手段から取得することとすることができる。さらに、前記画像処理システムは、前記画像処理装置を有することとすることができる。
【００１４】
又、前記画像処理システムは、更に、前記画像処理装置を有し、前記第２記憶手段はさらに、前記画像処理装置の宛先を示す宛先情報を当該画像処理装置の位置情報に対応付けて記憶し、前記ＡＲサーバーは、前記画像処理装置が撮像されていると特定された場合に、当該画像処理装置の位置情報と、当該位置情報に対応付けられている前記宛先情報とを前記携帯端末装置へ送信する第３送信手段を有し、前記携帯端末装置は、前記第３送信手段から送信された前記画像処理装置の位置情報に対応付けて前記識別情報を、前記宛先情報の示す前記画像処理装置の宛先へ送信する第４送信手段を有し、前記画像処理装置は、前記第４送信手段から送信された前記画像処理装置の位置情報に対応付けて前記識別情報を前記ＡＲサーバーへ送信する第５送信手段を有し、前記第３記憶手段は、前記識別情報を前記画像処理装置の第５送信手段から取得することとすることができる。
【００１５】
又、前記データは、前記携帯端末装置又は前記携帯端末装置から当該データを取得できる他の装置に格納されていることとすることができる。又、前記携帯端末装置は、ログイン情報の入力を受付ける入力受付手段を有し、前記第３記憶手段はさらに、ログイン情報の認証に用いる認証情報を、前記画像処理装置の位置情報に対応付けて記憶し、前記第２送信手段はさらに、前記第３記憶手段において前記画像処理装置の位置情報に対応付けられている認証情報を前記携帯端末装置へ送信し、前記携帯端末装置はさらに、入力されたログイン情報と、前記第２送信手段から送信された認証情報とを照合する照合手段を有し、
前記ＡＲタグ表示手段は、照合できた場合に、第２ＡＲタグを表示し、照合できなかった場合には、第２ＡＲタグの表示を抑止することとすることができる。
【００１６】
又、前記画像処理装置はさらに、画像を所定の投影位置に投影する投影手段を有し、前記第２記憶手段は、さらに、前記投影位置の位置情報を記憶し、前記第３記憶手段は、前記画像処理すべきデータの識別情報を前記投影位置の位置情報に対応づけて記憶し、前記特定手段は、前記第１送信手段から送信された前記位置情報及び撮像方向と、前記投影位置の位置情報とから、前記投影位置の画像が撮像されているか否かを特定し、前記第２送信手段は、前記投影位置の画像が撮像されていると特定された場合に、前記投影位置の位置情報に対応付けられている前記識別情報を前記携帯端末装置へ送信し、前記ＡＲ表示手段は、前記第２送信手段から送信された前記識別情報を表示する第２ＡＲタグを、撮像した画像に合成して表示することとすることができる。
【発明の効果】
【００１７】
上記構成を備えることにより、画像処理装置の機能を示す機能情報と、画像処理すべきデータの識別情報とが、画像処理装置の位置情報に対応付けてサーバーに記憶され、撮像対象の撮像時に携帯端末装置から送信される位置情報及び撮像方向と画像処理装置の位置情報とから、前記画像処理装置が撮像されていると特定された場合に、当該画像処理装置の位置情報に対応する機能情報及び画像処理すべきデータの識別情報に基づいて、機能情報の示す機能を表示する第１ＡＲタグと、識別情報を表示する第２ＡＲタグとが、携帯端末装置が撮像した画像に合成表示される。
【００１８】
そして、携帯端末装置において第１、第２ＡＲタグを関連付けるユーザー操作が受付けられると、第２ＡＲタグに係る識別情報により識別されるデータの所在情報の示す格納場所から、当該データが取得されて、第１ＡＲタグに係る機能情報の示す機能を用いて取得したデータを処理するように画像処理装置に指示されるので、汎用性のあるＡＲ（拡張現実）の技術を用いて、直感的な操作により容易に画像処理装置を操作することができる。
【００１９】
又、本発明の一形態に係る画像処理システムは、携帯端末装置、ＡＲサーバー及び画像処理装置から構成される画像処理システムであって、前記携帯端末装置は、画像処理すべきデータの格納場所を示す所在情報を記憶する第１記憶手段と、自装置の位置情報及び撮像方向を取得する第１取得手段と、前記画像処理すべきデータの識別情報を、自装置の位置情報に対応付けて前記ＡＲサーバーへ送信する第１送信手段と、前記第１取得手段が取得する位置情報に基づいて自装置の位置の移動を監視し、当該位置が移動する毎に移動後の位置情報を前記ＡＲサーバーへ送信する第２送信手段と、を有し、前記画像処理装置は、
撮像手段と、撮像した画像を表示する表示手段と、ユーザー操作を受付ける操作受付手段と、自装置の位置情報及び撮像方向を取得する第２取得手段と、自装置の機能を示す機能情報を記憶している第１記憶手段と、撮像時の自装置の位置情報及び撮像方向を前記ＡＲサーバーへ送信する第３送信手段と、を有し、前記ＡＲサーバーは、前記第１送信手段から送信された前記識別情報を、当該識別情報に対応付けられている前記携帯端末装置の位置情報に対応付けて記憶する第２記憶手段と、前記第２記憶手段に記憶されている前記携帯端末装置の位置情報を、前記第２送信手段から送信された位置情報に更新する更新手段と、前記第３送信手段から送信された前記位置情報及び撮像方向と、前記携帯端末装置の位置情報とから、前記携帯端末装置が撮像されているか否かを特定する特定手段と、前記携帯端末装置が撮像されていると特定された場合に、前記携帯端末装置の位置情報を前記画像処理装置に送信する第４送信手段と、を有し、前記画像処理装置は、前記機能情報を、前記第４送信手段から送信された前記携帯端末装置の位置情報に対応付けて前記ＡＲサーバーへ送信する第５送信手段を有し、前記第２記憶手段はさらに、前記第５送信手段から送信された前記機能情報を、前記携帯端末装置の位置情報と対応付けて記憶し、前記ＡＲサーバーはさらに、前記第２記憶手段において、前記携帯端末装置の位置情報と対応付けられている前記機能情報と、前記識別情報とを前記画像処理装置へ送信する第６送信手段を有し、前記画像処理装置はさらに、前記第６送信手段から送信された前記機能情報の示す機能を表示する第１ＡＲタグと、前記第６送信手段から送信された前記識別情報を表示する第２ＡＲタグとを生成して、それらのＡＲタグを撮像した画像に合成して表示するＡＲタグ表示手段と、第１ＡＲタグと第２ＡＲタグを関連付けるユーザー操作を受付けると、当該第２ＡＲタグに係る前記識別情報によって識別されるデータの所在情報の示す格納場所から、当該データを前記携帯端末装置を通じて取得して当該第１ＡＲタグに係る機能情報の示す機能を実行する処理実行手段と、を有することとしてもよい。
【００２０】
又、本発明の一形態に係る画像処理システムは、携帯端末装置、ＡＲサーバー及び画像処理装置から構成される画像処理システムであって、前記携帯端末装置は、画像処理すべきデータの格納場所を示す所在情報を記憶する第１記憶手段と、自装置の位置情報及び撮像方向を取得する第１取得手段と、前記画像処理すべきデータの識別情報を、自装置の位置情報に対応付けて前記ＡＲサーバーへ送信する第１送信手段と、前記第１取得手段が取得する位置情報に基づいて自装置の位置の移動を監視し、当該位置が移動する毎に移動後の位置情報を前記ＡＲサーバーへ送信する第２送信手段と、を有し、前記画像処理装置は、
撮像手段と、撮像した画像を表示する表示手段と、ユーザー操作を受付ける操作受付手段と、自装置の位置情報及び撮像方向を取得する第２取得手段と、自装置の機能を示す機能情報を記憶している第１記憶手段と、撮像時の自装置の位置情報及び撮像方向を前記ＡＲサーバーへ送信する第３送信手段と、を有し、前記ＡＲサーバーは、前記第１送信手段から送信された前記識別情報を、当該識別情報に対応付けられている前記携帯端末装置の位置情報に対応付けて記憶する第２記憶手段と、前記第２記憶手段に記憶されている前記携帯端末装置の位置情報を、前記第２送信手段から送信された位置情報に更新する更新手段と、前記第３送信手段から送信された前記位置情報及び撮像方向と、前記携帯端末装置の位置情報とから、前記携帯端末装置が撮像されているか否かを特定する特定手段と、前記携帯端末装置が撮像されていると特定された場合に、前記携帯端末装置の位置情報を前記画像処理装置に送信する第４送信手段と、を有し、前記画像処理装置は、前記機能情報を、前記第４送信手段から送信された前記携帯端末装置の位置情報に対応付けて前記ＡＲサーバーへ送信する第５送信手段を有し、前記第２記憶手段はさらに、前記第５送信手段から送信された前記機能情報を、前記携帯端末装置の位置情報と対応付けて記憶し、前記ＡＲサーバーはさらに、前記第２記憶手段において、前記携帯端末装置の位置情報と対応付けられている前記機能情報と前記識別情報とに基づいて前記機能情報の示す機能を表示する第１ＡＲタグと、前記識別情報を表示する第２ＡＲタグとを生成して前記画像処理装置へ送信する第６送信手段を有し、前記画像処理装置はさらに、前記第６送信手段から送信された第１ＡＲタグと第２ＡＲタグとを撮像した画像に合成して表示するＡＲタグ表示手段と、第１ＡＲタグと第２ＡＲタグを関連付けるユーザー操作を受付けると、当該第２ＡＲタグに係る前記識別情報によって識別されるデータの所在情報の示す格納場所から、当該データを前記携帯端末装置を通じて取得して当該第１ＡＲタグに係る機能情報の示す機能を実行する処理実行手段と、を有することとしてもよい。
【００２１】
これにより、画像処理装置の機能を示す機能情報と、画像処理すべきデータの識別情報とが、携帯端末装置の位置情報に対応付けてサーバーに記憶され、撮像対象の撮像時に画像処理装置から送信される位置情報及び撮像方向と携帯端末装置の位置情報とから、前記携帯端末装置が撮像されていると特定される場合に、当該携帯端末装置の位置情報に対応する機能情報及び画像処理すべきデータの識別情報に基づいて、機能情報の示す機能を表示する第１ＡＲタグと、識別情報を表示する第２ＡＲタグとが、画像処理装置が撮像した画像に合成表示される。
【００２２】
そして、画像処理装置において第１、第２ＡＲタグを関連付けるユーザー操作が受付けられると、第２ＡＲタグに係る識別情報により識別されるデータの所在情報の示す格納場所から、当該データが前記携帯端末装置を通じて取得されて、第１ＡＲタグに係る機能情報の示す機能が実行されるので、汎用性のあるＡＲ（拡張現実）の技術を用いて、直感的な操作により容易に画像処理装置を操作することができる。
【図面の簡単な説明】
【００２３】
【図１】本実施の形態に係る画像処理システムの構成の概略を示す図である。
【図２】画像処理装置１の構成を示す機能ブロック図である。
【図３】ＡＲサーバー２の構成を示す機能ブロック図である
【図４】機能情報管理テーブルの具体例を示す図である。
【図５】データ情報管理テーブルの具体例を示す。
【図６】携帯端末装置３の構成を示す機能ブロック図である。
【図７】ＡＲタグ表示処理の動作の一部を示すシーケンス図である。
【図８】ＡＲタグ表示処理の動作の別の一部を示すシーケンス図である。
【図９】操作パネル３０９の液晶表示部に表示される、合成表示画面の具体例を示す。
【図１０】図７に示すＡＲタグ表示処理の動作の変形例を示すシーケンス図である。
【図１１】図７に示すＡＲタグ表示処理の動作の別の変形例の一部を示すシーケンス図である。
【図１２】図７に示すＡＲ表示処理の動作の別の変形例の別の一部を示すシーケンス図である。
【図１３】図８に示すＡＲタグ表示処理の動作の変形例を示すシーケンス図である。
【図１４】操作パネル８０の液晶表示部に表示される、合成表示画面の具体例を示す。
【発明を実施するための形態】
【００２４】
(実施の形態)
［１］画像処理システムシステムの構成
図１は、本実施の形態に係る画像処理システムの構成の概略を示す図である。本実施の形態に係る画像処理システムは、画像処理装置１、拡張現実（ＡＲ：Augmented Reality）サーバー２、携帯端末装置３等から構成される。ここで、「拡張現実」とは、撮像した画像に、当該画像に関連する付加情報を合成表示させる技術のことをいう。
【００２５】
同図に示す画像処理システムにおいては、画像処理装置及び携帯端末装置の数は、説明を簡単にするため、それぞれ１つとしているが、本実施の形態では、それぞれ複数存在するものとする。又、ＡＲサーバー２は、複数存在していてもよい。
又、本画像処理システムに含まれる複数の画像処理装置の機能は、異なっていてもよい。後述するように、画像処理装置１は、ここでは印刷機能、ボックス機能、ＦＡＸ機能を備えているが、本画像処理システムに含まれる画像処理装置は、これらの全ての機能を備えていなくてもよいし、上記の機能とは別の機能を備えていてもよい。例えば、本画像処理システムに含まれる画像処理装置は、印刷機能のみ備える画像処理装置であってもよいし、印刷機能とＦＡＸ機能のみ、或いは印刷機能とボックス機能のみ備える画像処理装置であってもよい。なお、ボックス機能については後述する。又、携帯端末装置は、本画像処理システムに含まれる画像処理装置の各ユーザーが携帯しているものとする。
【００２６】
図１に示すように、画像処理装置１、ＡＲサーバー２、携帯端末装置３は、ＬＡＮ（Local Area Network）４で接続され、携帯端末装置３は、図示しない無線ルーターや無線基地局を介してＬＡＮ４に無線接続されている。なお、画像処理装置１、ＡＲサーバー２、携帯端末装置３の接続形態は、ＬＡＮに限定されず、インターネットで接続されていてもよいし、両者を組み合わせて接続されていてもよい。又、他の接続形態を組み合わせて接続されていてもよい。例えば、画像処理装置１と携帯端末装置３は、Ｂｌｕｅｔｏｏｔｈ(登録商標)を用いて無線接続されていてもよい。
【００２７】
図２は、画像処理装置１の構成を示す機能ブロック図である。画像処理装置１は、制御
部１０、画像プロセス部３０、給紙部４０、定着装置５０、ハードディスクドライブ（Ｈ
ＤＤ）６０、画像読取部７０、操作パネル８０、ＦＡＸ部９０等から構成される。
制御部１０は、ＣＰＵ１００、通信インターフェース（Ｉ／Ｆ）部１０１、ＲＯＭ１０２、ＲＡＭ１０３、画像データ記憶部１０４等から構成され、画像処理装置１の全体の動作を制御する。
【００２８】
通信Ｉ／Ｆ部１０１は、ＬＡＮカード、ＬＡＮボードといったＬＡＮ４に接続するためのインターフェースである。ＲＯＭ１０２には、画像プロセス部３０、給紙部４０、定着装置５０、ＨＤＤ６０、画像読取部７０、操作パネル８０、ＦＡＸ部９０を制御するための制御プログラム、「ボックス機能」を実行するためのプログラム等が格納されている。ここで、「ボックス機能」とは、画像処理装置１の各ユーザーが作成した文書等の画像データを、当該ユーザーの携帯端末装置３から取得して、当該ユーザーについて割当てられているＨＤＤ６０上の記憶領域（「ボックス」と呼ばれる記憶領域）に格納する機能のことをいう。
【００２９】
ＲＡＭ１０３は、ＣＰＵ１００のプログラム実行時のワークエリアとして用いられる。画像データ記憶部１０４は、通信Ｉ／Ｆ部１０１や画像読取部７０を介して入力された、印刷用の画像データを記憶している。ＣＰＵ１００は、制御プログラムを実行することにより、画像プロセス部３０、給紙部４０、定着装置５０、ＨＤＤ６０、画像読取部７０、操作パネル８０、ＦＡＸ部９０を制御する。
【００３０】
画像プロセス部３０は、制御部１０又は画像読取部６０から入力された印刷用の画像データに基づき、給紙部４０から供給される記録シートとしての用紙に画像を形成することにより印刷処理を実行する。給紙部４０は、制御部１０からの指示に応じて記録シートとしての用紙を画像プロセス部３０に供給する。定着装置５０は、制御部１０からの指示に応じて記録シートとしての用紙に形成された画像を当該用紙に熱定着させる。
【００３１】
ＨＤＤ６０の記憶領域内には、画像処理装置１のユーザーが作成した文書等の画像データを格納するための「ボックス」が、ユーザー（ここでは、携帯端末装置３のユーザー）毎に割当てられている。又、ＨＤＤ６０には、自装置を識別する装置識別子、各ボックスの格納先と携帯端末装置３の端末識別子（ここでは、ユーザーＩＤを端末識別子とする。）との対応関係を示す格納先特定テーブルが記憶されている。「ボックス機能」が実行される際に、携帯端末装置３から端末識別子が画像処理装置１に通知され、当該端末識別子に対応するボックスに、携帯端末装置３から送信された画像データが格納される。
【００３２】
又、ＨＤＤ６０には、ＡＲサーバー２や画像処理システムに含まれる携帯端末装置と通信する際に通信相手先に通知されるＩＰアドレス等の自装置の通信情報が記憶されている。
画像読取部７０は、スキャナーなどの画像入力装置から構成され、用紙等の記録シートに記載されている文字や図形などの情報を読取り、画像データを形成する。操作パネル８０は、複数の入力キーと液晶表示部を備え、液晶表示部の表面にはタッチパネルが積層されている。タッチパネルからのタッチ入力又は入力キーからのキー入力により、ユーザーからの指示を受取り、制御部１０に通知する。ＦＡＸ部９０は、公衆電話回線などを介して所望の相手先との間で画像データの送受信を行う。
【００３３】
図３は、ＡＲサーバー２の構成を示す機能ブロック図である。ＡＲサーバー２は、ＣＰＵ２００、通信Ｉ／Ｆ部２０１、ＲＯＭ２０２、ＲＡＭ２０３、ハードディスクドライブ（ＨＤＤ）２０４、操作部２０５等から構成される。
通信Ｉ／Ｆ部２０１は、ＬＡＮカード、ＬＡＮボードといったＬＡＮに接続するためのインターフェースである。ＲＯＭ２０２には、後述する画像処理システムが行うＡＲタグ表示処理の動作においてＡＲサーバー２が行う処理を実行するプログラム等が記憶されている。
【００３４】
ＲＡＭ２０３は、ＣＰＵ２００のプログラム実行時のワークエリアとして用いられる。ＣＰＵ２００が、ＲＯＭ２０２に記憶されている各プログラムを実行することにより、ＡＲサーバー２としての機能が実現される。
ＨＤＤ２０４には、ＡＲタグ表示情報管理テーブル等が記憶されている。ここで、「ＡＲタグ表示情報管理テーブル」とは、機能情報管理テーブルとデータ情報管理テーブルとから構成されるテーブルのことをいう。
【００３５】
「機能情報管理テーブル」とは、画像処理システムに含まれる各画像処理装置について、当該画像処理装置の識別子である装置識別子と、経度及び緯度で示される当該画像処理装置の位置情報と、ＩＰアドレス等で示される当該画像処理装置の通信情報と、当該画像処理装置において利用可能な機能を示す機能情報との対応関係を示す機能管理情報のリストを示すテーブルのことをいう。
【００３６】
機能管理情報は、予め各画像処理装置の管理者等によって機能情報管理テーブルに登録される。当該登録は、画像処理装置又は携帯端末装置に機能管理情報を入力し、機能管理情報が入力された画像処理装置又は携帯端末装置から機能管理情報をＡＲサーバー２へ送信することにより、或いは、ＡＲサーバー２の操作部２０５を介してＡＲサーバー２に機能管理情報を直接入力することにより行われる。図４は、機能情報管理テーブルの具体例を示す図である。同図の「装置位置情報」は、画像処理装置の位置情報を示す。同図の「機能情報」においては、各画像処理装置についての、各機能（印刷機能、ボックス機能、ＦＡＸ機能）の有無が示されている。
【００３７】
「データ情報管理テーブル」とは、画像処理システムに含まれる各携帯端末装置について、当該携帯端末装置の端末識別子（ここでは、当該携帯端末装置のユーザーのユーザーＩＤ）と自装置から取得可能で、画像処理装置において処理されるべき画像データを識別するデータ識別情報と当該データ識別情報が対応付けられている画像処理装置の位置情報（装置位置情報）との対応関係を示すデータ管理情報のリストを示すテーブルのことをいう。
【００３８】
データ識別情報は、ここでは、画像データのファイル名又はフォルダー名とする。データ識別情報によって識別される画像データのファイル又はフォルダーの格納場所は、自携帯端末装置内の記憶領域に限定されず、当該携帯端末装置がアクセス可能な外部装置（例えば、当該携帯端末装置とインターネット等の広域ネットワークで接続されているサーバー）の記憶領域に格納されていてもよい。
【００３９】
データ管理情報は、後述する画像処理システムが行うＡＲタグ表示処理の動作においてデータ情報管理テーブルに登録される。図５は、データ情報管理テーブルの具体例を示す。同図の「ファイル／フォルダー名」は、データ識別情報を示し、「装置位置情報」は、画像処理装置の位置情報を示す。
図３の説明に戻って、操作部２０５は、キーボード又はマウス等から構成され、ユーザーからの指示の入力を受付ける。
【００４０】
図６は、携帯端末装置３の構成を示す機能ブロック図である。携帯端末装置３としては、例えば、タブレット型のＰＣ（パーソナルコンピューター）やスマートフォン等を用いることができる。携帯端末装置３は、ＣＰＵ３００、無線通信Ｉ／Ｆ部３０１、ＲＯＭ３０２、ＲＡＭ３０３、ハードディスクドライブ（ＨＤＤ）３０４、カメラ部３０５、無線通信部３０６、位置情報取得部３０７、撮影方向取得部３０８、操作パネル３０９等から構成される。
【００４１】
無線通信Ｉ／Ｆ部３０１は、ＬＡＮカード、ＬＡＮボードといったＬＡＮに接続するためのインターフェースである。無線通信Ｉ／Ｆ部３０１は、無線でＬＡＮ４に接続される。ＲＯＭ３０２には、パーソナルコンピューターとしての機能を実現するための各種プログラムや後述する画像処理システムが行うＡＲタグ表示処理の動作において携帯端末装置３が行う処理を実行するＡＲプログラム等が記憶されている。ＲＡＭ３０３は、ＣＰＵ３００のプログラム実行時のワークエリアとして用いられる。
【００４２】
ＨＤＤ３０４には、画像処理システムに含まれる各画像処理装置において処理されるべき画像データのファイル及びフォルダー、及び当該ファイル及びフォルダーの所在情報が記憶されている。ここで、「所在情報」とは、データ識別情報と、当該データ識別情報により識別される画像データのファイル又はフォルダーの格納場所を示す格納場所情報との対応関係を示す情報のことをいう。
【００４３】
ここでは、格納場所情報は、格納場所に格納される画像データのファイル又はフォルダーが、自装置内に格納されている場合には、その格納場所がパス情報（ファイルパス又はフォルダーパス）で示され、当該ファイル又はフォルダーがサーバー等の外部装置に格納されている場合には、その格納場所がＵＲＬ（Uniform Resource Locator）で示される。
さらに、ＨＤＤ３０４には、ＡＲサーバー２と通信するためのＩＰアドレス等のＡＲサーバー２の通信情報、自装置を識別する端末識別子（ここでは、当該携帯端末装置のユーザーＩＤ）、ＡＲサーバー２や画像処理システムに含まれる画像処理装置と通信する際に通信相手先に通知されるＩＰアドレス等の自装置の通信情報が記憶されている。
【００４４】
カメラ部３０５は、ＣＣＤ（Charge Coupled Device）カメラやＣＭＯＳ（Complementary Metal Oxide Semiconductor）カメラ等から構成され、画像処理システムに含まれる画像処理装置等を撮像する。無線通信部３０６は、図示しない基地局と通信し、電話回線を介した通信を制御する。
位置情報取得部３０７は、ＧＰＳ（Global Positioning System）信号を受信して自装置の位置情報を取得する。ＧＰＳ信号の代わりに、図示しない基地局から送信される位置信号を受信して当該位置情報を取得することとしてもよい。撮像方向取得部３０８は、電子コンパスやジャイロセンサー等から構成され、カメラ部３０５による撮像時の撮像方向を特定する撮像方向情報を取得する。
【００４５】
操作パネル３０９は、複数の入力キーと液晶表示部を備え、液晶表示部の表面にはタッチパネルが積層されている。タッチパネルからのタッチ入力又は入力キーからのキー入力により、ユーザーからの指示を受取る。
［２］ＡＲタグ表示処理
図７及び図８は、画像処理システムが行うＡＲタグ表示処理の動作を示すシーケンス図である。図７に示す処理と図８に示す処理は、画像処理システムによって連続して実行される処理であり、図７に示す処理に続けて図８に示す処理が画像処理システムによって実行される。
【００４６】
携帯端末装置３は、ＡＲプログラムを起動し（ステップＳ７０１）、ＨＤＤ３０４に記憶されている所在情報のデータ識別情報に基づいて、ＡＲサーバー２に登録すべきデータ識別情報の選択画面を作成して操作パネル３０９の液晶表示部に表示してデータ識別情報の選択を受け付ける（ステップＳ７０２）。
選択画面からユーザーによりデータ識別情報が選択されると、携帯端末装置３は、選択されたデータ識別情報をＲＡＭ３０３に記憶して（ステップＳ７０３）、カメラ部３０５のカメラを起動して撮像（ここでは、ユーザーは、選択したデータ識別情報により識別される画像データの画像処理を行うことを希望する画像処理装置が撮像されるものとする。）を開始し（ステップＳ７０４）、位置情報取得部３０７から撮像時の位置情報（以下、「撮像位置情報」という。）を、撮像方向取得部３０８から撮像方向情報をそれぞれ取得してＡＲサーバー２のＩＰアドレスへ送信する（ステップＳ７０５）。
【００４７】
ＡＲサーバー２は、携帯端末装置３から送信された撮像位置情報と撮像方向情報に基づいて、ＨＤＤ２０４に記憶されているＡＲタグ表示情報管理テーブルの機能情報管理テーブルを参照して撮像位置情報の示す撮像位置から撮像方向情報の示す撮像方向において、所定範囲内に位置する画像処理装置を検索し、検索できた場合に当該画像処理装置が、携帯端末装置３によって撮像されている画像処理装置であると特定して（ステップＳ７０６）、機能情報管理テーブルから特定した画像処理装置の位置情報を取得して携帯端末装置３へ送信する(ステップＳ７０７)。
【００４８】
ＡＲサーバー２によって特定された画像処理装置の位置情報を受信した携帯端末装置３は、当該位置情報に対応付けて選択されたデータ識別情報と端末識別子を、データ情報管理テーブルに登録すべきデータ管理情報としてＡＲサーバー２へ送信してデータ情報管理テーブルへの登録を依頼する（ステップＳ７０８）。
ＡＲサーバー２は、携帯端末装置３から送信されたデータ管理情報をＨＤＤ２０４に記憶されているデータ情報管理テーブルに登録する（ステップＳ７０９）。そして、画像処理システムは、図７の処理に続けて図８に示す処理を行う。
【００４９】
次にＡＲサーバー２は、機能情報管理テーブルにおいて、特定した画像処理装置の位置情報に対応する機能情報と通信情報を特定し（ステップＳ７１０）、データ情報管理テーブルにおいて特定した画像処理装置の位置情報及び携帯端末装置３から送信された端末識別子に対応するデータ識別情報を特定し（ステップＳ７１１）、特定した機能情報、通信情報及びデータ識別情報を携帯端末装置３へ送信する（ステップＳ７１２）。
【００５０】
そして、携帯端末装置３は、ＡＲサーバー２から送信された機能情報の示す機能毎に当該機能を表示して当該機能の選択指示を受け付けるためのＡＲタグ（以下、「機能表示ＡＲタグという。」を生成するとともに、ＡＲサーバー２から送信されたデータ識別情報（ここでは、ファイル名又はフォルダ名）を表示して当該データ識別情報によって識別される画像データへのアクセスの指示を受け付けるためのＡＲタグ（以下、「データ表示ＡＲタグ」という。）を生成する（ステップＳ７１３）。なお、携帯端末装置３は、各ＡＲタグを生成するための元画像（ここでは、吹き出し画像）を記憶しているものとする。又、データ表示ＡＲタグ用の元画像には、所定の文字列（ここでは、「へアクセス」の文字列）が含まれているものとする。
【００５１】
さらに、携帯端末装置３は、ＡＲサーバー２から送信された画像処理装置の位置情報に基づいて、操作パネル３０９の液晶表示部に表示される撮像画像における当該画像処理装置の表示位置を算出し、当該表示位置の近傍に生成した各機能表示ＡＲタグ、データ表示ＡＲタグを各ＡＲタグが重ならないように、撮像画像に合成表示させる（ステップＳ７１４）。図９は、操作パネル３０９の液晶表示部に表示される、合成表示画面の具体例を示す。同図の符号１は、撮像された画像処理装置を、符号９１は、印刷機能を表示する機能表示ＡＲタグを、符号９２は、ボックス機能を表示する機能表示ＡＲタグを、符号９３は、データ識別情報（ファイル名）を表示するデータ表示ＡＲタグをそれぞれ示す。
【００５２】
さらに、携帯端末装置３は、操作パネル３０９において、データ表示ＡＲタグを機能表示ＡＲタグ上に移動させるユーザーのドラッグ操作又は機能表示ＡＲタグをデータ表示ＡＲタグ上に移動させるドラッグ操作（例えば、図９の右向きの点線矢印で示すように、データ表示ＡＲタグ９３を機能表示ＡＲタグ９１上へ移動させるドラッグ操作又は図９の左向きの矢印で示すように、機能表示ＡＲタグ９１をデータ表示ＡＲタグ９３上へ移動させるドラッグ操作）を受け付けると（ステップＳ７１５）、当該ドラッグ操作の対象となったデータ表示ＡＲタグに係るデータ識別情報によって識別される画像データのファイル又はフォルダーの格納場所に、ＨＤＤ３０４に記憶されている、当該画像データについての所在情報を参照してアクセスして、当該画像データのファイル又はフォルダーを取得し、ＡＲサーバー２から送信された通信情報の示す画像処理装置のＩＰアドレスに送信し、当該画像処理装置に対し、取得した画像データについて、当該ドラッグ操作の対象となった機能表示ＡＲタグに係る機能（図９の具体例では、印刷）の実行を指示する(ステップＳ７１６)。
当該画像処理装置は、携帯端末装置３から送信された画像データのファイル又はフォルダーを用いて、携帯端末装置３から指示された機能を実行する（ステップＳ７１７）。
【００５３】
これにより、画像処理装置の撮像画像に合成表示されたＡＲタグのドラッグ操作により、選択した画像処理装置の機能の実行に用いる画像データを取得して当該画像データについて選択した機能の実行指示を、画像処理装置に対し行うことができるので、汎用性のあるＡＲ（拡張現実）の技術を用いて、直感的な操作により容易に画像処理装置を操作することができる。
（変形例）
以上、本発明を実施の形態に基づいて説明してきたが、本発明が上述の実施の形態に限定されないのは勿論であり、以下のような変形例を実施することができる。
【００５４】
（１）本実施の形態では、図７のＡＲタグ表示処理の動作において、携帯端末装置３がデータ識別情報をＡＲサーバー２に送信して、ＡＲサーバー２のＨＤＤ２０４に記憶されているデータ情報管理テーブルに登録することとしたが、画像処理装置１が携帯端末装置３からデータ識別情報を取得してＡＲサーバー２のデータ情報管理テーブルに登録することとしてもよい。
【００５５】
図１０は、上記の場合に画像処理システムが行う、図７に示すＡＲタグ表示処理の動作の変形例を示すフローチャートである。同図において、図７のＡＲタグ表示処理の動作における処理と同一内容の処理については、同一のステップ番号を付与し、以下相違する点について説明する。ステップＳ７０１〜ステップＳ７０６の処理が行われた後、ＡＲサーバー２は、機能情報管理テーブルから特定した画像処理装置の位置情報と、当該位置情報に対応付けられている通信情報を取得して携帯端末装置３へ送信する(ステップＳ１００１)。
【００５６】
ＡＲサーバー２によって特定された画像処理装置の位置情報と通信情報を受信した携帯端末装置３は、当該通信情報から当該画像処理装置のＩＰアドレスを取得し（ステップＳ１００２）、受信した画像処理装置の位置情報に対応付けて選択されたデータ識別情報と端末識別子を当該ＩＰアドレス宛に送信して、当該画像処理装置にＡＲサーバー２のデータ情報管理テーブルへの登録を依頼する（ステップＳ１００３）。
【００５７】
登録を依頼された画像処理装置は、携帯端末装置３から送信された画像処理装置の位置情報に対応付けてデータ識別情報、端末識別子をＡＲサーバー２へ送信してデータ情報管理テーブルへの登録を依頼する（ステップＳ１００４）。
ＡＲサーバー２は、受信した画像処理装置の位置情報に対応付けて、受信したデータ識別情報、端末識別子をデータ情報管理テーブルに登録する（ステップＳ１００５）。
【００５８】
（２）本実施の形態では、携帯端末装置側に撮像機能を有することとしたが、画像処理装置側に撮像機能を設け、画像処理装置側から携帯端末装置を撮像し、携帯端末装置の位置情報に対応付けて機能情報及びデータ識別情報を登録することとし、登録した機能情報及びデータ識別情報に基づいて、画像処理装置側の操作パネルの液晶表示部に機能表示ＡＲタグ及びデータ表示ＡＲタグを表示させることとしてもよい。
【００５９】
具体的には、携帯端末装置３のＲＯＭ３０２に、後述する画像処理システムが行う、図７に示すＡＲタグ表示処理の動作の変形例において、携帯端末装置３が行う処理を実行する携帯側ＡＲプログラムを記憶させる。そして、画像処理装置１が、携帯端末装置３のカメラ部３０５、位置情報取得部３０７、撮像方向取得部３０８と同様の構成要素を備え、ＲＯＭ１０に、後述する画像処理システムが行う、図７に示すＡＲタグ表示処理の動作の変形例において、画像処理装置１が行う処理を実行する装置側ＡＲプログラムを記憶させ、ＨＤＤ６０に機能情報、ＡＲサーバー２のＩＰアドレス等のＡＲサーバー２の通信情報を記憶させることとし、以下のＡＲタグ表示処理の動作の変形例を実行することとしてもよい。
【００６０】
図１１、図１２、図１３は、画像処理システムが行う、図７、図８に示すＡＲタグ表示処理の動作の別の変形例を示すフローチャートである。携帯端末装置３は、携帯側ＡＲプログラムを起動し（ステップＳ１１０１）、ＨＤＤ３０４に記憶されているデータ識別情報に基づいて、ＡＲサーバー２に登録すべきデータ識別情報の選択画面を作成して操作パネル３０９の液晶表示部に表示してデータ識別情報の選択を受け付ける（ステップＳ１１０２）。
【００６１】
選択画面からユーザーによりデータ識別情報が選択されると、携帯端末装置３は、選択されたデータ識別情報をＲＡＭ３０３に記憶し（ステップＳ１１０３）、位置情報取得部３０７から自装置の現在の位置を示す位置情報を取得し（ステップＳ１１０４）、当該位置情報とＨＤＤ３０４に記憶されている端末識別子、自装置のＩＰアドレス等の通信情報、選択されたデータ識別情報をＡＲサーバー２へ送信し、当該位置情報に対応付けて端末識別子、通信情報、データ識別情報を登録することを依頼する（ステップＳ１１０５）。
【００６２】
ＡＲサーバー２は、受信した位置情報に対応付けて端末識別子、通信情報、データ識別情報をテーブルに登録する（ステップＳ１１０６）。
携帯端末装置３は、位置情報取得部３０７から取得する位置情報に基づいて自装置の位置が移動したか否かを監視し（ステップＳ１１０７）、移動した場合には、ＨＤＤ３０４に記憶されている端末識別子と移動後の位置情報をＡＲサーバー２へ送信して、登録した位置情報の更新を依頼する（ステップＳ１１０８）。
【００６３】
ＡＲサーバー２は、テーブルにおいて、携帯端末装置３から送信された端末識別子に対応付けられている位置情報を、携帯端末装置３から送信された移動後の位置情報に更新する（ステップＳ１１０９）。そして、画像処理システムは、図１１の処理に続けて図１２に示す処理を行う。
携帯端末装置３のユーザーは、ステップＳ１１０６の処理において、携帯端末装置３の位置情報等のＡＲサーバー２への登録が完了した後に、以下に示す処理を実行させるものとする。なお、当該登録が完了したことは、例えば、図１１のステップＳ１１０６の処理が実行され、当該登録が完了した場合に、ＡＲサーバー２が携帯端末装置３にそのことを通知し、携帯端末装置３が、登録が完了した旨のメッセージを操作パネル３０９の液晶表示部に表示させることによりユーザーに通知することができる。
【００６４】
画像処理装置１は、装置側ＡＲプログラムを起動し（ステップＳ１１１０）、カメラ部のカメラを起動して撮像（ここでは、携帯端末装置３の撮像）を開始し（ステップＳ１１１１）、位置情報取得部から撮像時の位置情報を、撮像方向取得部から撮像方向情報をそれぞれ取得してＡＲサーバー２へ送信する（ステップＳ１１１２）。
ＡＲサーバー２は、携帯端末装置３の位置情報等が登録されたテーブルを参照して撮像位置情報の示す撮像位置から撮像方向情報の示す撮像方向において、所定範囲内に位置する携帯端末装置（撮像されている携帯端末装置３）を検索し、検索できた場合に、当該携帯端末装置３が、画像処理装置１によって撮像されている携帯端末装置であると特定して（ステップＳ１１１３）、当該テーブルから特定した携帯端末装置３の位置情報を取得して当該位置情報を画像処理装置１へ送信する（ステップＳ１１１４）。
【００６５】
画像処理装置１は、携帯端末装置３の位置情報を受信すると、ＨＤＤ６０に記憶されている機能情報、自装置の装置識別子を読出し、受信した位置情報とともにＡＲサーバー２のＩＰアドレスへ送信し、当該位置情報に対応付けて機能情報、自装置の装置識別子を登録することを依頼する（ステップＳ１１１５）。
ＡＲサーバー２は、受信した位置情報に対応付けて受信した機能情報、装置識別子をテーブルに登録する（ステップＳ１１１６）。そして、画像処理システムは、図１２の処理に続けて図１３に示す処理を行う。
【００６６】
ＡＲサーバー２は、当該テーブルを参照して受信した位置情報に対応付けられている携帯端末装置の通信情報、データ識別情報及び機能情報を特定し、特定した通信情報、データ識別情報、機能情報を画像処理装置１へ送信する（ステップＳ１１１７）。
画像処理装置１は、ＡＲサーバー２から送信された機能情報の示す機能毎に機能表示ＡＲタグを生成するとともに、ＡＲサーバー２から送信されたデータ識別情報を表示するデータ表示ＡＲタグを生成し（ステップＳ１１１８）、ステップＳ１１１４においてＡＲサーバー２から送信された携帯端末装置の位置情報に基づいて、操作パネル８０の液晶表示部に表示される撮像画像における当該携帯端末装置の表示位置を算出し、当該表示位置の近傍に生成した各機能表示ＡＲタグ、データ表示ＡＲタグを各ＡＲタグが重ならないように、撮像画像に合成表示させる（ステップＳ１１１９）。
【００６７】
図１４は、操作パネル８０の液晶表示部に表示される、合成表示画面の具体例を示す。同図の符号３は、撮像された携帯端末装置３を、符号１４１は、印刷機能を表示する機能表示ＡＲタグを、符号１４２は、ボックス機能を表示する機能表示ＡＲタグを、符号１４３は、データ識別情報（ファイル名）を表示するデータ表示ＡＲタグをそれぞれ示す。
さらに、画像処理装置１は、操作パネル８０において、データ表示ＡＲタグを機能表示ＡＲタグ上に移動させるユーザーのドラッグ操作又は機能表示ＡＲタグをデータ表示ＡＲタグ上に移動させるドラッグ操作（例えば、図１４の左向きの点線矢印で示すように、データ表示ＡＲタグ１４３を機能表示ＡＲタグ１４１上へ移動させるドラッグ操作又は図１４の右向きの点線矢印で示すように、機能表示ＡＲタグ１４１をデータ表示ＡＲタグ１４３上へ移動させるドラッグ操作）を受け付けると（ステップＳ１１２０）、当該ドラッグ操作の対象となったデータ表示ＡＲタグに係るデータ識別情報を携帯端末装置３の通信情報の示すＩＰアドレスに送信して、当該データ識別情報によって識別される画像データの送信を携帯端末装置３に依頼し（ステップＳ１１２１）、携帯端末装置３から当該画像データが送信されると（ステップＳ１１２２）、当該画像データについて当該ドラッグ操作の対象となった機能表示ＡＲタグに係る機能（図１４の具体例では、印刷）を実行する（ステップＳ１１２３）。
【００６８】
（３）本実施の形態では、図８のＡＲタグ表示処理の動作において、携帯端末装置３側が機能表示ＡＲタグ及びデータ表示ＡＲタグを生成することとしたが（ステップＳ７１３参照）、ＡＲサーバー２側が両者のＡＲタグをそれぞれ生成することとしてもよい。
具体的には、ステップＳ７１２の処理において、特定した機能情報及びデータ識別情報に基づいて、機能情報の示す機能毎に当該機能を表示して当該機能の選択指示を受け付けるための機能表示ＡＲタグと、データ識別情報を表示して当該データ識別情報によって識別される画像データへのアクセスの指示を受け付けるためのデータ表示ＡＲタグを生成して、生成した機能表示ＡＲタグと、データ表示ＡＲタグとを携帯端末装置３へ送信し、ステップＳ７１４の処理に移行することとしてもよい。
【００６９】
この場合、ＡＲサーバー２は、各ＡＲタグを生成するための元画像（ここでは、吹き出し画像）を記憶しているものとする。又、データ表示ＡＲタグ用の元画像には、所定の文字列（ここでは、「へアクセス」の文字列）が含まれているものとする。
変形例（１）、（２）の場合においても、同様にＡＲサーバー２側が両者のＡＲタグをそれぞれ生成することとしてもよい。変形例（２）では、ステップＳ７１２の処理の代わりに図１３のステップＳ１１１７の処理において、ＡＲサーバー２が、上記の処理と同様の処理を行い、ステップＳ１１１９の処理に移行することとしてもよい。
【００７０】
（４）本実施の形態では、ユーザーのログイン情報の入力の有無にかかわらず、データ表示ＡＲタグを表示させることとしたが、セキュリティーを確保するため、ＡＲタグ表示処理において、ユーザーからログイン情報（例えば、ユーザーＩＤ、パスワード）の入力を受付けることとし、ログイン認証がされなかった場合には、データ表示ＡＲタグの表示を抑止することとしてもよい。
【００７１】
具体的には、例えば、ログイン情報の認証に用いる認証情報をＡＲサーバー２のＨＤＤ２０４に記憶させておき、図７のＡＲタグ表示処理において、携帯端末装置３のＡＲプログラムを起動したときに、携帯端末装置３においてユーザーからのログイン情報の入力を受け付けることとし、図７のステップＳ７０９においてデータ管理情報をデータ情報管理テーブルへ登録する際に、さらに認証情報をデータ管理情報の画像処理装置の位置情報に対応づけて登録する。
【００７２】
そして、図８のステップ７１２において、特定した通信情報、機能情報、データ識別情報に加え、画像処理装置の位置情報に対応付けられている認証情報をＡＲサーバー２から携帯端末装置３へ送信する。さらに、携帯端末装置３側でステップ７１３、ステップＳ７１４の処理を行う前に、ユーザーから入力を受け付けたログイン情報とＡＲサーバー２から送信された認証情報とを照合して、照合できた場合にステップＳ７１３、ステップ７１４の処理を行い、照合できなかった場合には、ステップＳ７１３の処理において、データ表示ＡＲタグの生成を抑止し、ステップＳ７１４において、データ表示ＡＲタグが撮像画像に合成表示されるのを抑止することとしてもよい。
【００７３】
（１）の変形例の場合においても、図１０のステップＳ１００５の処理において、さらに画像処理装置の位置情報に対応づけて認証情報をデータ情報管理テーブルに登録することとし、その他は、上記の処理と同様の処理を行うことにより、データ表示ＡＲタグが撮像画像に合成表示されるのを抑止することができる。
さらに、（２）の変形例の場合には、上記の場合と同様に、認証情報をＡＲサーバー２のＨＤＤ２０４に記憶させておき、図１２のＡＲタグ表示処理の変形例において、画像処理装置１のＡＲプログラムを起動したときに、画像処理装置１においてユーザーからのログイン情報の入力を受け付けることとし、図１１のステップＳ１１０６の処理において、さらに受信した位置情報に対応付けて認証情報をテーブルに登録する。
【００７４】
そして、図１３のステップＳ１１１７において、特定した通信情報、データ識別情報、機能情報に加え、携帯端末装置の位置情報に対応つけられている認証情報をＡＲサーバー２から画像処理装置１へ送信する。さらに、画像処理装置1側でステップＳ１１１８、ステップＳ１１１９の処理を行う前に、ユーザーから入力を受け付けたログイン情報とＡＲサーバー２から送信された認証情報とを照合して、照合できた場合にステップＳ１１１８、ステップＳ１１１９の処理を行い、照合できなかった場合には、ステップＳ１１１８の処理において、データ表示ＡＲタグの生成を抑止し、ステップＳ１１１９において、データ表示ＡＲタグが撮像画像に合成表示されるのを抑止することとしてもよい。
【００７５】
これにより、ＡＲ（拡張現実）の技術を使用してユーザー認証を行うことができ、ユーザー認証ができなかった場合に、データ表示ＡＲタグの表示を抑制して、データ表示ＡＲタグを介して画像データに不正アクセスされるのを防止することができる。
（５）本実施の形態では、データ識別情報を画像処理装置１の位置情報に対応づけてＡＲサーバー２のデータ情報管理テーブルに登録することとしたが、例えば、画像処理装置が、画像を投影位置に投影するプロジェクター等の投影装置を備えるような場合には、データ識別情報を投影位置に対応づけてＡＲサーバー２に登録しておき、携帯端末装置３のカメラ部で当該投影位置に投影された画像を撮像しているときに、データ表示ＡＲタグを表示させるようにすることとしてもよい。
【００７６】
具体的には、以下のようにすることができる。投影装置を備える画像処理装置の管理者等が当該画像処理装置の投影画像の投影位置（例えば、投影画像が投影されるスクリーンの設置位置や壁の位置）を示す位置情報と当該画像処理装置のＩＰアドレス等の通信情報とを、当該画像処理装置又は携帯端末装置又はＡＲサーバー２の操作部２０５を介してＡＲサーバー２に入力してＡＲサーバー２のＨＤＤ２０４に予め当該位置情報と当該通信情報とを対応付けて機能情報管理テーブルに登録する。
【００７７】
そして、携帯端末装置３のカメラ部を介して、画像処理装置の代わり投影位置に投影された画像を撮像することとして、図７に示すステップＳ７０１〜ステップＳ７０９の処理と同様の処理を行うことにより、投影位置を示す位置情報に対応付けてデータ識別情報、端末識別子をデータ情報管理テーブルへ登録する。
すなわち、ステップＳ７０６において、ＡＲサーバー２は、画像処理装置の代わりに撮像されている投影画像の投影位置の位置情報を特定し、ステップＳ７０７において、特定した投影位置の位置情報を携帯端末装置３へ送信し、さらに、携帯端末装置３側において、送信された位置情報を用いてステップＳ７０８、７０９と同様の処理を行うことにより、上記のように、データ情報管理テーブルへの登録処理を行うことができる。
【００７８】
上記の登録処理の後、図８のステップＳ７１０、ステップＳ７１１の処理と同様に、ＡＲサーバー２が、機能管理情報管理テーブルにおいて、特定した投影位置の位置情報に対応する通信情報を特定し、さらに、データ情報管理テーブルにおいて、特定した投影位置の位置情報及び携帯端末装置３から送信された端末識別子に対応するデータ識別情報を特定し、特定した通信情報及びデータ識別情報を携帯端末装置３へ送信する。
【００７９】
そして、携帯端末装置３側において、ＡＲサーバー２から送信されたデータ識別情報を表示するデータ表示ＡＲタグを生成し、ＡＲサーバー２から送信された投影位置の位置情報に基づいて、操作パネル３０９の液晶表示部に表示される撮像画像における投影画像の表示位置を算出し、当該表示位置の近傍に生成したデータ表示ＡＲタグを撮像画像に合成表示させる。
【００８０】
これにより、例えば、自己のプレゼンテーションの資料に関連する資料の画像データに関するデータ識別情報を投影位置の位置情報と対応付けてＡＲサーバー２に登録しておくことにより、プレゼンテーション資料の画像を投影している時に、必要に応じて携帯端末装置３を用いて投影画像を撮像し、当該データ識別情報を表示するデータ表示ＡＲタグを操作パネル３０９の液晶表示部に表示させ、当該データ表示ＡＲタグを介して関連する資料の画像データにアクセスして当該画像データを取得することができる。
【００８１】
その結果、投影装置を用いたプレゼンテーション時におけるユーザーの利便性を向上させることができる。例えば、取得した関連資料の画像データを画像処理装置に送信して、投影装置に当該画像を投影させ、プレゼンテーション資料についての補足説明を容易に行うことができる。
（６）本実施の形態では、ＡＲタグ表示制御処理において、データ表示ＡＲタグと機能表示ＡＲタグ間のドラッグ操作を受付けることにより、当該ドラッグ操作の対象となった機能表示ＡＲタグに係る機能の実行の指示を受付けることとしたが、ドラッグ操作以外の、両者のＡＲタグを関連付ける操作、例えば、タッチパネル上に両者のＡＲタグを表示し、両者のＡＲタグをユーザーの指で同時にタッチする操作を受付けることにより、機能表示ＡＲタグに係る機能の実行の指示を受付けることとしてもよい。
【００８２】
或いは、タッチパネル上で両者のＡＲタグをユーザーの指で同時にタッチする操作をした後、タッチした状態でタッチ位置の間隔が短く又は長くなるように両者のタッチ位置を移動する操作を受付けることにより、機能表示ＡＲタグに係る機能の実行の指示を受付けることとしてもよい。上記の操作は、タッチパネルがタッチされた時点における両者のタッチ位置と、タッチパネル上からユーザーの指が離れる直前の両者のタッチ位置を検出し、両時点におけるタッチ位置間の距離を比較することにより、検出することができる。
【産業上の利用可能性】
【００８３】
本発明は、プリンター、複写機、それらの複合機等の画像処理装置を操作する技術に関し、特に撮像機能及び位置検出機能を有する携帯端末装置を用いて画像処理装置を操作する技術として利用できる。
【符号の説明】
【００８４】
１                      画像処理装置
２                      ＡＲサーバー
３                      携帯端末装置
４                      ＬＡＮ
３０                    画像プロセス部
４０                    給紙部
５０                    定着装置
６０、２０４、３０４    ＨＤＤ
７０                    画像読取部
８０、３０９            操作パネル
９０                    ＦＡＸ部
１００、２００、３００  ＣＰＵ
１０１、２０１          通信Ｉ／Ｆ部
１０２、２０２、３０２  ＲＯＭ
１０３、２０３、３０３  ＲＡＭ
１０４                  画像データ記憶部
２０５                  操作部
３０１                  無線通信Ｉ／Ｆ部
３０５                  カメラ部
３０６                  無線通信部
３０７                  位置情報取得部
３０８                  撮像方向取得部
【図１】
2014158209.tif 000003
【図２】
2014158209.tif 000004
【図３】
2014158209.tif 000005
【図４】
2014158209.tif 000006
【図５】
2014158209.tif 000007
【図６】
2014158209.tif 000008
【図７】
2014158209.tif 000009
【図８】
2014158209.tif 000010
【図９】
2014158209.tif 000011
【図１０】
2014158209.tif 000012
【図１１】
2014158209.tif 000013
【図１２】
2014158209.tif 000014
【図１３】
2014158209.tif 000015
【図１４】
2014158209.tif 000016